(57)【要約】【課題】  撮像ユニットの接地に要するスペースを小さくしながら、安価に十分な接地を確保することができる撮像装置を提供すること。【解決手段】撮像素子と撮像素子が固定されたプレートから成る撮像ユニットが、レンズユニットに固定される撮像装置であって、レンズユニットが固定され、上記撮像ユニットが収納されてかつ縁部に撮像ユニットとの光軸方向への重複領域を持たない開口部が設けられた、導電性構造部材を備え、上記構造部材の開口部縁には、上記プレートと光軸方向位置が略同一の面が設けられ、上記プレートと上記面を跨るように、弾性導電部材が配置され、上記弾性導電部材を撮像ユニット裏面近傍に配置された板部材で、上記板金部材に接触する面に対向する面をチャージする。【選択図】図５
2016122954.tif 000002
【特許請求の範囲】
【請求項１】
撮像素子と撮像素子が固定されたプレートから成る撮像ユニットが、レンズユニットに固定される撮像装置であって、
前記レンズユニットが固定され、前記撮像ユニットの縁部に光軸方向への重複領域を持たない開口部が設けられた、導電性構造部材を備え、
前記構造部材の開口部縁には、前記プレートと光軸方向位置が同一の面が設けられ、前記プレートと前記同一面を跨るように、弾性導電部材が配置され、
前記弾性導電部材を前記撮像ユニット裏面に配置された板金部材で押さえることにより、前記プレートとの電気的接続を行うことを特徴とする撮像装置。
【請求項２】
前記板金部材は、撮像素子の放熱板部材であることを特徴とする請求項１に記載の撮像装置。
【請求項３】
前記板金部材は、先端に前記弾性導電部材の押さえ面が設けられ、押さえ面と根元の間に上記板金部材との当接箇所を有する板ばね形状が設けられることを特徴とする請求項１又は請求項２に記載の撮像装置。
【発明の詳細な説明】
【技術分野】
【０００１】
本発明は、撮像装置の撮像ユニットを構成する板金部材の接地に関する。
【背景技術】
【０００２】
従来、撮像装置内部の撮像素子をレンズに固定する手段として、撮像素子を板金部材に接着剤などで固定して撮像ユニットを形成した後に、板金部材をレンズ鏡筒にビス締結することで固定する方法がある。この時レンズ鏡筒は主に樹脂部材であるため、板金部材をビス締結以外の経路で接地する必要がある。
【０００３】
このような問題に対して従来の撮像装置では、レンズ鏡筒を金属ダイキャスト等で作られたベース部材に固定し、一方で上記板金部材をベース部材に締結して接地を確保することが一般的である(特許文献１参照) 。
【先行技術文献】
【特許文献】
【０００４】
【特許文献１】特開２０１３−１７２２４５号公報
【発明の概要】
【発明が解決しようとする課題】
【０００５】
従来技術による撮像装置では、フレキを経由して接地を確保していた。しかしながら十分な接地をとるには、板金部材とベース部材とを最短距離で電気的接続を行うことが必要である。またフレキを経由して十分な接地をとるには、フレキのＧＮＤパターンに大きな面積を必要とし、撮像装置が大型化する上、コストが上がるという問題がある。
【０００６】
本発明の目的は、撮像ユニットの接地に要するスペースを小さくしながら、安価に十分な接地を確保することができる撮像装置を提供することにある。
【課題を解決するための手段】
【０００７】
上記の目的を達成するために、本発明の撮像装置は、撮像素子と撮像素子が固定されたプレートから成る撮像ユニットが、レンズユニットに固定される撮像装置であって、
前記レンズユニットが固定され、前記撮像ユニットの縁部に光軸方向への重複領域を持たない開口部が設けられた、導電性構造部材を備え、
前記構造部材の開口部縁には、前記プレートと光軸方向位置が略同一の面が設けられ、前記プレートと前記略同一面を跨るように、弾性導電部材が配置され、
前記弾性導電部材を前記撮像ユニット裏面に配置された板金部材で押さえることにより、前記プレートとの電気的接続を行うことを特徴とする。
【発明の効果】
【０００８】
本発明によれば、撮像ユニットの接地に要するスペースを小さくしながら、安価に十分な接地を確保することができる撮像装置の提供を実現できる。
【図面の簡単な説明】
【０００９】
【図１】本発明の実施例にかかる撮像装置を示す概念図
【図２】本発明の実施例にかかる撮像装置の、撮像面のあおり調整を説明する概念図
【図３Ａ】撮像ユニットの周辺構成を示す図
【図３Ｂ】撮像ユニットの周辺構成を示す図
【図４】撮像ユニット内板金部材の接地を確保するための構成を説明する斜視図
【図５】弾性導電部材の周辺の構成を示す図
【図６】リワーク性について説明する図
【図７】撮像ユニット内板金部材の接地を確保するための構成を説明する斜視図
【図８】弾性導電部材の周辺の構成を示す図
【発明を実施するための形態】
【００１０】
以下、本発明を実施するための形態を図面に基づいて説明する。
【００１１】
＜第１の実施形態＞
図１は本発明の実施例にかかる撮像装置を示す概念図である。１は金属ダイキャストで出来たフロントベースであり、レンズ鏡筒２が固定される。レンズ鏡筒２は樹脂部材から成る。３は撮像ユニットである。撮像ユニット３は、撮像素子３−１が板金部材３−２に接着された構成となっており、弾性部材４とビス５によって、レンズ鏡筒２に対しフローティング支持される。撮像素子３−１はレンズ鏡筒２から入力された光学情報を電気情報に変換し、フレキ６を経由してメイン基板７に転送する。メイン基板７では、撮像素子３−１から送られてきた電気情報を、表示部８に送ってスルー画として表示させたり、記録部９に送って記録するなどの作業を、必要な処理を行ったうえで実行する。
【００１２】
図２は本発明の実施例にかかる撮像装置の、撮像面３−３のあおり調整を説明する概念図である。特に図２(a)はレンズ鏡筒２の光軸と撮像素子３−１の撮像面３−３の高さや傾きに、ばらつきが含まれることを示す概念図である。図２(b)はあおり調整を実施した後の撮像素子３−１周辺の位置関係を示す概念図である。図２(c)はリワーク性について説明する概念図である。
【００１３】
図２(a)に示すように、レンズ鏡筒２は光軸２−１が設計上の光軸２−２に対し個体ごとに異なる。また撮像素子３−１も、撮像面３−３の高さや傾きが、個体ごとにばらつきを持つ。撮像ユニット３をレンズ鏡筒２に取り付けたときに、撮像面３−３をレンズ鏡筒２の個体ごとにばらついた光軸２−１に直交させ、光軸２−１に沿って所定の位置に配置する工程を、あおり調整と呼ぶ。本発明の実施例では、あおり調整の工具にチャッキングするために、レンズ鏡筒２をフロントベース１に固定した後に、撮像ユニット３をレンズ鏡筒２に取り付ける。
【００１４】
図２(b)に示すようにあおり調整によって、レンズ鏡筒２に対してフローティング支持された撮像ユニットの位置と傾きを調整し、レンズ鏡筒２の実際の光軸２−１に撮像面を直交させ、光軸２−１に沿って所定の位置に配置する。その結果、撮像ユニット３の板金部材３−２が図２(a)での位置と比べてズレが生じていることになる。
【００１５】
図２(c)ではリワーク性について説明する。撮像装置は、何らかの理由により装置を分解する場合がある。例えば、外的要因による故障が発生し、部品を交換する場合などである。しかし撮像ユニット３は、レンズ鏡筒２の実際の光軸方向に対して最適な位置と傾きに調整されているため、フロントベース１などの部品交換時にも、レンズ鏡筒２から外さないことが望ましい。本実施例では、フロントベース１の開口部と撮像ユニット３は、光軸方向投影上の重複がないので、撮像ユニット３を取り外すことなく、レンズ鏡筒２からフロントベース１を取り外すことができる。
【００１６】
図３Ａ、図３Ｂは本発明の実施例のかかる撮像装置のあおり調整を説明するための、撮像ユニット３の周辺構成を示す図である。特に図３Ａ(a)はレンズ鏡筒２とフロントベース１をサブユニット化することを説明する分解斜視図である。図３Ａ(b)は撮像ユニットを示す断面図である。図３Ｂ(c)は撮像ユニット３周辺の構成を示す分解斜視図である。図３Ｂ(d)は撮像ユニット３をフローティング支持するために、レンズ鏡筒２に設けられたビス座２−２周辺の断面図である。
【００１７】
図３Ａ(a)に示すように、あおり調整工具(非図示)にチャッキングするために、レンズ鏡筒２をフロントベース１に固定して、サブユニット１０を形成する。図３Ａ(b)に示すように、撮像素子３−１を板金部材３−２に接着して、撮像ユニット３を形成する。
【００１８】
次に図３Ｂ(c)に示すように、弾性部材４がレンズ鏡筒２に設けられた３箇所のビス座２−２に同軸に配置され、撮像ユニット３を矢印Ａ方向に付勢し、さらにビス５によって撮像ユニット３の光軸方向位置を規制する。ビス５を回転調整することで、板金部材３−２のビス穴部３−２−２の光軸方向位置を変更し、あおり調整を実施する。図３Ｂ(d)に示すように、撮像ユニット３が弾性部材４によって矢印Ａ方向に付勢され、ビス５によって光軸方向位置を規制されている。
【００１９】
図４はあおり調整を実施した後の、撮像ユニット３の板金部材３−２の接地を確保するための構成を説明する斜視図である。１−１はフロントベース１の撮像ユニット３が収納される開口部の縁に設けられた凹部である。凹部１−１の底面１−２は、板金部材３−２の平面３−２−１と略同一である。１１は、ガスケットと呼ばれる弾性導電部材であり、板金部材３−２の平面３−２−１と、フロントベース１の凹部１−１の底面１−２に跨るように配置される。１２は撮像ユニットの放熱板である。
【００２０】
放熱板１２は、撮像ユニットの基板裏面から弾性放熱シート１３を介して、撮像ユニット３の発する熱をフロントベース１に放熱する。放熱板１２に設けられた平面部１２−１は、弾性導電部材１１を挟んで、板金部材３−２の平面３−２−１およびフロントベース凹部の底面１−２に対向する位置に配置される。
【００２１】
図５は弾性導電部材１１の周辺の構成を示す図である。特に図５(a)は周辺詳細図、図５(b)は断面図である。弾性導電部材１１は、放熱板１２の平面部１２−１と、板金部材３−２の平面３−２−１およびフロントベース凹部の底面１−２に挟まれて配置されることで安定して保持されると同時に、板金部材３−２の平面３−２−１とフロントベース凹部１−１の底面１−２に跨るように配置されることにより、安定した接地を実現することができる。
【００２２】
図６は本発明の実施例にかかる撮像装置の、リワーク性について説明する図である。特に図６(a)はフロントベース１と撮像ユニット３を光軸に沿って見た図、図６(b)はレンズ鏡筒２に撮像ユニット３を取り付けたまま、フロントベース１を取り外した状態を示す斜視図である。図６(a)に示すように、撮像ユニット３とフロントベース１の撮像ユニット３が収納される開口部１−３は、撮像ユニット３のフレキ６を除いて光軸方向に重複がない。従って図６(b)に示すように、フレキ６を撓ませながら放熱板１２と弾性導電部材１１を取り外した後、撮像ユニット３をレンズ鏡筒２に取り付けたまま、フロントベース１を取り外すことができる。
【００２３】
＜第２の実施形態＞
以下では、本発明の第２の実施例にかかる撮像装置を説明する。図１から図３に対応する部分は、第１の実施例の構成と共通であるため、説明を省略する。また共通する部分の符号も同一のものを使う。
【００２４】
図７はあおり調整を実施した後の、撮像ユニット３の板金部材３−２の接地を確保するための構成を説明する斜視図である。１−１はフロントベース１の撮像ユニット３が収納される開口部の縁に設けられた凹部である。凹部１−１の底面１−２は、板金部材３−２の平面３−２−１と略同一である。弾性導電部材１１は、板金部材３−２の平面３−２−１と、フロントベース１の凹部１−１の底面１−２に跨るように配置される。１４は撮像ユニットの放熱板である。放熱板１４は、バネ性を持つ金属板金であり、撮像ユニットの基板裏面から弾性放熱シート１３を介して、撮像ユニット３の発する熱をフロントベース１に放熱する。
【００２５】
図８は放熱板１４の詳細を説明するための図である。特に図８(a)は弾性導電部材の設置個所周辺の斜視図である。図８(b)は弾性導電部材１１の周辺の構成を示す断面図である。図８(a)に示すように、放熱板１４には、フロントベースへの締結部１４−１の近傍かつフロントベース凹部１１−１に対向する位置に平面１４−２が設けられる。また放熱板１４には、弾性放熱シート保持部１４−３の近傍から延設し、撮像ユニット３の板金部材３−２に付勢する板バネ形状１４−４が設けられる。板バネ形状１４−４は板金部材３−２への付勢箇所１４−５から更に、端部側に平面１４−６が設けられる。平面１４−６は、フロントベースへの締結部近傍の平面１４−２と、光軸方向について略同一である。
【００２６】
図８(b)に示すように弾性導電部材１１は、放熱板１４の平面１４−２および１４−６と、板金部材３−２の平面３−２−１およびフロントベース凹部の底面１−２に挟まれて配置されることで安定して保持される。板金部材３−５は、あおり調整によって光軸方向(矢印Ａ)の高さが変化するが、放熱板１４が１４−５で常に付勢しているため、平面１４−６が板金部材３−２の高さ変化に追従し、弾性導電部材１１に対して一定のチャージ量を保つことができる。
【００２７】
以上のように本実施例によれば、リワーク性を考慮しつつ、撮像ユニットの接地に要するスペースを小さくしながら、安価に十分な接地を確保することができる。
【００２８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２９】
１  フロントベース、１−１  フロントベースに設けられた凹部、
１−２  フロントベースに設けられた凹部の底面、１−３  フロントベース開口部、
２  レンズ鏡筒、２−１  レンズ鏡筒の光軸、２−２  レンズ鏡筒に設けられたビス座、
３  撮像ユニット、３−１  撮像素子、３−２  板金部材、
３−２−１  板金部材の平面、３−２−２  板金部材のビス穴部、３−３  撮像面、
３−４  接着剤、４  コイルバネ(弾性部材)、５  ビス、６  フレキ、７  メイン基板、
８  表示部、９  記録部、１０  レンズ鏡筒とフロントベースからなる、サブユニット、
１１  弾性導電部材(ガスケット)、１２  放熱板、１２−１  放熱板に設けられた平面、
１４  放熱板、１４−１  フロントベースへの締結部、
１４−２  放熱板に設けられた平面、１４−３  弾性放熱シート保持部、
１４−４  板バネ形状部、１４−５  板金部材３−５への付勢箇所、
１４−６  放熱板に設けられた平面、Ａ  光軸に沿った矢印
【図１】
2016122954.tif 000003
【図２】
2016122954.tif 000004
【図３Ａ】
2016122954.tif 000005
【図３Ｂ】
2016122954.tif 000006
【図４】
2016122954.tif 000007
【図５】
2016122954.tif 000008
【図６】
2016122954.tif 000009
【図７】
2016122954.tif 000010
【図８】
2016122954.tif 000011